(57)【要約】      （修正有）【課題】船玩具をディスプレイとして飾っておく場合は船玩具の船体が完全な状態で見ることができ、床面などの走行面を移動させる場合は喫水線から下方がない状態で移動させることができ、船玩具をディスプレイとして静的状態で見る場合と、走行面を移動させる動的状態で見る場合との何れの場合もリアルな状態で見ることができる新しい発想の船玩具を提供する。【解決手段】船玩具Ａは客船を模して形成したもので、この船玩具Ａの船体１の下部にはスタンド２が取り付けられ、船玩具Ａを本棚や机の上に飾っておくことができるようになっている。船体１は、喫水線３から上下に上船体４と下船体５とに分離可能に形成され、上船体４には走行装置が配置され、下船体５には上船体４の走行装置を遠隔操作する遠隔操作装置が配置されている。【選択図】図１
0003143481.tif 000002
【実用新案登録請求の範囲】
【請求項１】
以下の要件を備えることを特徴とする、船玩具。
（イ）上記船玩具は、船体が喫水線から上下に上船体と下船体とに分離可能に形成されていること
（ロ）上記上船体には走行装置が設けられ、上記上船体は該走行装置で走行面を走行できるようにしたこと
【請求項２】
前記走行装置は遠隔操作可能である、請求項１記載の船玩具。
【請求項３】
前記下船体に前記走行装置を遠隔操作する遠隔操作装置を設けた、請求項１又は２記載の船玩具。
【考案の詳細な説明】
【技術分野】
【０００１】
本考案は、船玩具、詳しくは船体が上船体と下船体とに上下に分離し、上船体に設けた走行装置で走行面を走行する船玩具に関するものである。
【背景技術】
【０００２】
従来、水上を移動するのではなく床面などの走行面を移動する船玩具が提案されている（例えば、特許文献１）。この船玩具は、船体の底部に車輪を配設し、オールを駆動させてオールの先端の水掻部で床等の走行面を蹴ることによって、船体を陸上で移動させることができるようにしたものである。
【特許文献１】特開２００５−７４００６号公報
【考案の開示】
【考案が解決しようとする課題】
【０００３】
本考案が解決しようとする問題点は、上述の船玩具は船体を水に浮かべることなく床面の上を移動させることができるが、船体全体が見える状態で移動するため、実際の船が水上を移動する場合には見えなくなる筈の船体の下部が常に見えているためリアル感に欠けるものであった。
【０００４】
本考案は、上記問題点を解決し、船玩具をディスプレイとして飾っておく場合は船玩具の船体を完全な状態で見ることができ、床面などの走行面を移動させる場合は喫水線から下方がない状態で移動させることができ、船玩具をディスプレイとして静的状態で見る場合と、走行面を移動させる動的状態で見る場合との何れの場合もリアルな状態で見ることができる新しい発想の船玩具を提供することを課題とする。
【課題を解決するための手段】
【０００５】
前記課題を解決するために本考案に係る船玩具は、以下の要件を備えることを特徴とする。
（イ）上記船玩具は、船体が喫水線から上下に上船体と下船体とに分離可能に形成されていること
（ロ）上記上船体には走行装置が設けられ、上記上船体は該走行装置で走行面を走行できるようにしたこと
【０００６】
なお、前記走行装置は遠隔操作可能であることが好ましい。
【０００７】
また、前記下船体に前記走行装置を遠隔操作する遠隔操作装置を設けてもよい。
【考案の効果】
【０００８】
請求項１の考案によれば、船玩具を飾っておく場合は完全な形で飾ることができ、走行玩具として遊ぶ場合は船体を下船体から分離し、上船体にすることにより喫水線から下がないのであたかも水面を航行するように走行させることができ、静的状態と動的状態とで楽しむことができる新しい発想の船玩具を提供することができる。
【０００９】
請求項２の考案によれば、船玩具を遠隔操作で走行させることができ、走行面に地図や形象部をおいて走行させれば、水槽で移動させるよりリアル感のある移動を楽しむことができる。
【００１０】
請求項３の考案によれば、下船体に遠隔操作装置を設けることにより、別途遠隔操作装置を用意する必要がなく、飾っておくときも遠隔操作の管理を心配する必要がなく、取り扱いに優れた船玩具を実現することができる。
【考案を実施するための最良の形態】
【００１１】
図１は、本考案に係る船玩具Ａの一例を示し、この船玩具Ａは客船を模して形成したもので、この船玩具Ａの船体１の下部にはスタンド２が取り付けられ、船玩具Ａを本棚や机の上に飾っておくことができるようになっているものである。
【００１２】
上記船玩具Ａの船体１は、図２に示すように、喫水線３から上下に上船体４と下船体５とに分離可能に形成され、上船体４には走行装置１０が配置され、下船体５には上船体４の走行装置１０を遠隔操作する遠隔操作装置３０が配置されている。
【００１３】
上船体４に配置された走行装置１０は、図３に示すように、駆動車輪１１と、操舵車輪１２と、駆動車輪１１を駆動する駆動用モータ１３、操舵車輪１２を操舵する操舵用モータ１４と、駆動用モータ１３及び操舵用モータ１４を制御する制御部であるＭＰＵ１５をマウントした制御基板１６とで構成されている。この上船体４には、後述する遠隔操作装置３０のＩＲ発光部３６からの赤外線信号を受光するＩＲ受光部１７と、効果音を出力するスピーカ１８と、船室内を照明するライト１９と、後述する充電接点３７に接触する接点２０が配置され、この接点２０が充電接点３７に接触することにより充電池２１が充電されるようになっている。
【００１４】
そして、遠隔操作装置３０のＩＲ発光部３６からの赤外線信号をＩＲ受光部１７で受光するとその赤外線信号をデジタル信号に変換し、変換したデジタル信号に基づいてＭＰＵ１５は、駆動用モータ１３及び操舵用モータ１４の正逆回転、スピーカ１８からの効果音の出力、船室内を照明するライト１９の点灯を制御することができるようになっている。
【００１５】
なお、上記駆動車輪１１は駆動用モータ１３の正逆回転、停止により前進したり、後退したり、停止したりするようになっている公知の駆動機構で構成されていればよいし、上記操舵車輪１２は操舵用モータ１４の正逆回転で向きが左右に変わるようになっていればよく、公知の操舵機構で構成されていればよい。
【００１６】
そして、図４（ａ）に示すように、駆動車輪１１と操舵車輪１２の一部１１ａ、１２ａは、上船体４の底面４ａから下方に突出し、駆動車輪１１と操舵車輪１２とで上船体４を支えるとともに、駆動車輪１１の回転を制御することによって前進後退を行い、操舵車輪１２の向きを制御することによって進路を変えることができるようになっている。
【００１７】
下船体５に配置された遠隔操作装置３０は、図２に示すように、電源をＯＮ／ＯＦＦするスライドスイッチ３１、操舵用モータ１４の回転を制御する操舵輪３２、駆動用モータ１３の回転を制御するスロットルレバー３３、効果音（例えば、汽笛）を出力させる押しボタン３４、ライト１９を点灯させる押しボタン３５、ＩＲ発光部３６で構成され、さらに下船体５の上面には、充電接点３７が配置され、上船体４を乗せたとき、上船体４の接点２０に接触して充電池２１を充電することができるようになっている。
【００１８】
なお、スタンド２の内部には、バッテリ３８が収容され、このバッテリ３８は遠隔制御装置３０の駆動電源であるとともに、充電池２１の充電電源を兼ねている。
【００１９】
上記構成の船玩具Ａによれば、動かさないでディスプレイとして飾る場合（静的状態）は、下船体５の上に上船体４を重ねれば、図１に示すように、スタンド２で支持された状態の船玩具Ａの全体を鑑賞することができる。
【００２０】
一方、船玩具Ａを動かす場合（動的状態）は、上船体４を持ち上げると、図２に示すように、喫水線３から下の部分の下船体５と、喫水線３から上の部分の上船体４とに分離することができるので、分離した上船体４を走行面に置けば、駆動輪１１と操舵輪１２とが走行面に接地し、駆動輪１１を回転させるとともに、操舵輪１２の向きを変えれば、走行面を走行玩具のように走行させることができる。
【００２１】
なお、この状態では喫水線３から下の部分はないので、喫水線３から下は走行面に沈んだように見え、動的状態では船玩具Ａを水に浮かべたときの状態と同じように見せることができる。
【００２２】
なお、図５に示すように、床面などの走行面に海の景色が描かれたシート４０を敷いて、シート４０の上に上船体４を置いて、シート４０に描かれた島４１の間をぬうように移動させてももよいし、港湾設備や島などを模して形成した形象物（図示せず）を走行面に置いて、その形象物に当たらないように移動させてもよい。
【００２３】
なお、上述の船玩具Ａの形状は客船に限定されるものではなく、小さなモータボートから巨大な軍艦まで、その形状は小さなものから大きなものまであらゆる種類の形状の船で構成されていることが好ましい。そして、軍艦で構成した場合は、砲塔を動かす駆動機構やを設け、大砲から砲弾を発射する発射音や閃光などを音声発生装置や発光装置に出力させるようにすれば、単に走行させるだけではなく船玩具の様々な動きを楽しむことができる。
【００２４】
上述したように、船玩具Ａをディスプレイとして飾っておく場合は船玩具Ａの船体１が欠けることなく完全な状態で見ることができ、床面などの走行面を移動させる場合は喫水線３から上だけの上船体４で移動させることができるので、船玩具Ａをディスプレイとして静的状態で見る場合と、走行面を移動させる動的状態で見る場合との何れの場合もリアルな状態で見ることができる新しい発想の船玩具Ａを実現することができる。
【図面の簡単な説明】
【００２５】
【図１】本考案に係る船玩具の斜視図
【図２】船体を下船体と上船体に分離した状態を説明する斜視図
【図３】上記上船体の内部に配置された走行装置の説明図
【図４】（ａ）〜（ｃ）は上記、上記上船体の側面図及び移動状態の説明図
【図５】上記上船体を走行させる状態を説明する斜視図
【符号の説明】
【００２６】
１    船体
２    スタンド
３    喫水線
４    上船体
５    下船体
１０    走行装置
３０    遠隔操作装置
Ａ    船玩具
【図１】
0003143481.tif 000003
【図２】
0003143481.tif 000004
【図３】
0003143481.tif 000005
【図４】
0003143481.tif 000006
【図５】
0003143481.tif 000007